【手続補正書】
【提出日】平成29年1月23日(2017.1.23)
【手続補正１】
【補正対象書類名】特許請求の範囲
【補正対象項目名】全文
【補正方法】変更
【補正の内容】
【特許請求の範囲】
【請求項１】
場所に基づくサービスを施設の運営担当者に提供する方法であり、前記施設は物理的な壁によって形成されて物理的に規定される構造物とした、該方法において、
前記施設に一連の場所ノードを設け、前記場所ノードは、無線信号のトランシーバを有し、受信した信号を中央ハブに送信して、前記中央ハブが受信した信号を処理できるようにし、
前記場所ノードは前記施設における戦略的位置に配置し、また前記場所ノードは、前記施設内の人的移動体と無線通信して前記施設内の前記人的移動体の場所及び移動を確定でき、前記人的移動体は、前記場所ノードに対して信号を無線で送受信する無線通信ユニットを有し、前記各ユニットは各人的移動体に一意的であるものとし、
前記場所ノードは検出デバイスを有し、前記検出デバイスは、無線トランスミッタ／レシーバを含み、前記人的移動体及び前記人的移動体の無線通信ユニットのゾーンに対する進入及び退出を検出可能とし、前記人的移動体の無線通信ユニットは、Bluetooth（登録商標）又はＷｉ−Ｆｉ、又はＮＦＣシステムのうちから選択したものを装備したモバイルフォンとし、
前記場所ノードは前記施設内での前記人的移動体の移動に関するデータを供給し、このようなデータとしては、前記施設内への進入、前記施設からの退出、及び付加的に、戦略的位置に配置したノードの近傍で費やした時間量、前記施設内での前記移動体の移動経路のうち少なくとも１つを含むものとし、
前記データは、リアルタイム、又は保存及び解析用に運営担当者が使用できるよう後の時点のうち少なくとも一方で運営担当者に送信するものとし、
コンピュータプロセッサが実行するアルゴリズムにより前記データを処理し、前記データは、前記施設内への進入、前記施設からの退出、及び前記施設全体にわたり行ったストップ回数を含むものとし、
前記アルゴリズムは次式により必要なレーン数ＬＸを決定する、すなわち、
ＬＸ＝Ｒ１（ｎＳ／１００）Ｔ１
ここで、
ＬＸ＝必要な高速レーンの数、
Ｒ１＝来訪者入来率
ｎＳ＝少量来訪者の割合、及び
Ｔ１＝高速レーンのチェックアウト率
である、方法。
【請求項２】
請求項１記載の方法において、前記施設は、施設を退出する人的移動体は退出前に少なくとも１つのチェックアウト場所を通過する必要がある複数のチェックアウト場所を有し、また場所ノードは、前記複数のチェックアウト場所のそれぞれ異なる対応のチェックアウト場所に関連する物理的場所に配置し、また前記場所ノードからのデータは、異なるチェックアウト場所を通過する人的移動体の数、異なるチェックアウト場所を通過する人的移動体の速度、及び異なるチェックアウト場所の近傍における人的移動体の数のうち、少なくとも１つの含むものとした、方法。
【請求項３】
請求項１又は２記載の方法において、前記施設はショッピング商業店舗とし、前記チェックアウト場所は、前記ショッピング商業店舗内で購入した物品に対する支払いを受取るレジを有し、前記データは、前記施設内に入店し、また前記施設から退出する人的移動体の率、及び以下のもののうち少なくとも１つを含む、すなわち、
前記施設からの人的移動体のチェックアウト率、
前記施設への人的移動体の入店量、
異なる時間帯に対する人的移動体の入店量、
前記施設内で異なる人的移動体が費やす時間量、
前記施設内における異なる時間量を費やす人的移動体の数を識別することに関連するデータ、並びに
少量買い物客向けには専用チェックアウト設備が指定される異なるチェックアウト設備を有する場合のデータであって、
少量買い物客の数、
多量買い物客、及び
前記施設内及びチェックアウト場所で費やす買い物客の時間率
に関する情報を含むデータ、
のうち少なくとも１つを含むものとし、前記アルゴリズムがこれらデータを処理する、方法。
【請求項４】
請求項１〜３のうちいずれか一項記載の方法において、前記施設は、３次元地理的ゾーンを有し、前記地理的ゾーンのアレイを通って移動する人的モバイルユーザーの前記３次元地理的ゾーンにおける移動及び行動パターンを特徴付けることができるようにし、前記人的ユーザーは、Bluetooth（登録商標）、又はＷｉ−Ｆｉ無線、又はＮＦＣシステムのうちから選択したものを装備したモバイルフォンを有するものとした、方法。
【請求項５】
請求項１〜４のうちいずれか一項記載の方法において、モバイルユーザーが店舗内を移動するとき、ゾーン進入及び退出のイベントを収集し、タイムスタンプ付けし、またネットワークを介してインターネットに送信する、方法。
【請求項６】
請求項１〜５のうちいずれか一項記載の方法において、イベント列を取得し、データを遠隔サーバーに送り付け、また行動詳細を進入/退出データから抽出する解析用のデータベースに格納する、方法。
【請求項７】
請求項２記載の方法において、前記施設は、ショッピング商業店舗とし、また前記ショッピング商業店舗内で購入した物品に対する支払いを受取るレジを有するチェックアウト場所を設け、前記データは、来訪者入店率及び来訪者チェックアウト率に基づいてチェックアウトレーン割当てを管理するアルゴリズムを適用する結果データセットを有し、チェックアウト率を使用して、来訪者が入店する率と同率で来訪者をチェックアウトする能力を有するレーン割当てを決定し、また
チェックアウト場所に進入してこのチェックアウト場所から退出し、また来訪者が入店する率に対して来訪者のほぼ連続した流れをもたらし、前記アルゴリズムが前記データを処理する、方法。
【請求項８】
請求項１〜７のうちいずれか一項記載の方法において、前記アルゴリズムは、経験的チェックアウトデータから小バスケット、中バスケット及び大バスケットの来訪者に対する来訪者チェックアウト率を確定し、来訪者入店率及び来訪者情報を使用して、選択的に小バスケット、中バスケット及び大バスケットそれぞれの来訪者数を決定する、方法。
【請求項９】
請求項１〜８のうちいずれか一項記載の方法において、前記アルゴリズムはチェックアウト率を確定し、このチェックアウト率を使用して、来訪者の入店率と同率で小バスケット、中バスケット及び大バスケットの来訪者数をチェックアウトするに必要なレーン数を決定する、方法。
【請求項１０】
請求項７記載の方法において、前記アルゴリズムの出力は、レーン割当ての数及びタイプを規定する選択的な日々のタイムライン、１週間の異なる曜日に対する営業日の異なる時間帯における選択的な高速レーン及び一般レーンとし、これにより、店舗運営及び労務割当ての事前計画を立てるツールを提供する、方法。
【請求項１１】
場所に基づくサービスを施設の運営担当者に提供する方法であって、
前記施設に場所ノードを設け、前記場所ノードは無線信号のトランシーバを有し、受信した信号を中央ハブに送信して、前記中央ハブが受信した信号を処理できるようにし、
前記場所ノードは前記施設における特定場所に配置し、また前記場所ノードは、前記施設内の人的移動体と無線通信して前記施設内の前記人的移動体の場所及び移動を確定でき、前記人的移動体は、前記場所ノードに対して信号を無線で送受信する無線通信ユニットを有し、前記各ユニットは各人的移動体に一意的であるものとし、
各場所ノードは検出デバイスを有し、前記検出デバイスは、無線トランスミッタ／レシーバを含み、前記人的移動体及び前記人的移動体の無線通信ユニットのゾーンに対する進入、滞在及び退出を検出可能とし、前記人的移動体の無線通信ユニットは、Bluetooth（登録商標）又はＷｉ−Ｆｉ、又はＮＦＣシステムのうちから選択したものを装備したモバイルフォンとし、
前記場所ノードは前記施設内での前記特定場所に対する前記人的移動体の相対移動に関するデータを供給し、このようなデータとしては、前記特定場所内への進入、前記特定場所からの退出、及び特定場所の近傍で費やした時間量を含むものとし、
前記データは、リアルタイム、又は保存及び解析用に運営担当者が使用できるよう後の時点のうち少なくとも一方で運営担当者に送信するものとし、
コンピュータプロセッサが実行するアルゴリズムにより前記データを処理し、前記データは、前記特定場所内への進入、及び前記特定場所からの退出を含むものとし、
前記アルゴリズムは、前記施設内のレーンに進入する移動体の進入率及び前記施設内のレーンから退出する退出率に基づくパラメータを確定し、
前記施設は、空港ターミナルとし、また少なくとも１つのセキュリティチェック場所を有し、前記空港ターミナル施設を通過する人は、セキュリティチェック場所を迂回することなく、セキュリティチェック場所を通過する必要があるものとし、少なくとも１つのセキュリティチェック場所に関連する物理的場所にノードを配置し、場所ノードからのデータは、セキュリティチェック場所を通過する移動体の速度、及びセキュリティチェック場所の近傍にいる移動体の数の指標を含むものとした、
方法。
【請求項１２】
請求項２記載の方法において、前記施設はショッピング商業店舗とし、前記チェックアウト場所は、前記ショッピング商業店舗内で購入した品目に対する支払いを受取るレジを有し、前記データは、以下のもの、すなわち、
ａ）前記施設からの人的移動体のチェックアウト率、
ｂ）前記施設への人的移動体の入店量、
ｃ）異なる時間帯に対する人的移動体の入店量、
ｄ）人的移動体が前記施設に進入しまた退出する率
ｅ）前記施設内で異なる人的移動体が費やす時間量、
ｆ）前記施設内における異なる時間量を費やす人的移動体の数を識別することに関連するデータ、
ｇ）少量買い物客向けには専用チェックアウト設備が指定される異なるチェックアウト設備を有する場合のデータであって、
i.少量買い物客の数、
ii.多量買い物客
に関するデータ、
ｈ）前記施設内で費やす買い物客の時間率、及び
ｉ）前記チェックアウト場所で費やす買い物客の時間率
のうち少なくとも３つ、又は５つ、又はすべてを含むものとし、前記アルゴリズムがこれらデータを処理する、方法。
【請求項１３】
請求項１記載の方法において、人的移動体が反復して前記施設内にいるとき、同一の人的移動体を識別し、これによりその人的移動体のショッピング行動に関するデータを取得する、又はショッピングバスケットとは無関係に人的移動体を識別し、これによりその人的移動体のショッピング行動に関するデータを取得する、方法。
【請求項１４】
請求項１記載の方法において、前記アルゴリズムの出力は、レーン割当ての数及びタイプを規定する選択的な日々のタイムライン、１週間の異なる曜日に対する営業日の異なる時間帯における選択的な高速レーン及び一般レーンとし、これにより、店舗運営及び労務割当ての事前計画を立てるツールを提供する、方法。
【請求項１５】
場所に基づくサービスを施設の運営担当者に提供する方法であり、前記施設は物理的な壁によって形成されて物理的に規定される構造物とした、該方法において、
前記施設に一連の場所ノードを設け、前記場所ノードは、無線信号のトランシーバを有し、受信した信号を中央ハブに送信して、前記中央ハブが受信した信号を処理できるようにし、
前記場所ノードは前記施設における互いに離れた位置に配置し、また前記場所ノードは、前記施設内の人的移動体と無線通信して前記施設内の前記人的移動体の場所及び移動を確定するものとし、
前記人的移動体は、前記場所ノードに対して信号を無線で送受信する無線通信ユニットを有し、前記各ユニットは各人的移動体に一意的であるものとし、
前記場所ノードは検出デバイスを有し、前記検出デバイスは、無線トランスミッタ／レシーバを含み、前記人的移動体及び前記人的移動体の無線通信ユニットのゾーンに対する進入、滞在及び退出を検出可能とし、前記人的移動体の無線通信ユニットは、Bluetooth（登録商標）又はＷｉ−Ｆｉ、又はＮＦＣシステムのうちから選択したものを装備したモバイルフォンとし、
前記場所ノードは前記施設内での場所に対する前記人的移動体の移動に関するデータを供給し、このようなデータとしては、前記施設内への進入、前記施設からの退出、及び付加的に、互いに離れた位置に配置した場所の近傍で費やした時間量、前記施設内での前記移動体の移動経路を含むものとし、
前記データは、リアルタイム、又は保存及び解析用に運営担当者が使用できるよう後の時点のうち少なくとも一方で運営担当者に送信するものとし、
コンピュータプロセッサが実行するアルゴリズムにより前記データを処理し、前記データは、前記施設内への進入、及び前記施設からの退出を含むものとし、
前記アルゴリズムは次式により必要なレーン数ＬＸを決定し、すなわち、
ＬＸ＝Ｒ１（ｎＳ／１００）Ｔ１
ここで、
ＬＸ＝必要な高速レーンの数、
Ｒ１＝来訪者入来率
ｎＳ＝少量来訪者の割合、及び
Ｔ１＝高速レーンのチェックアウト率
である、方法。
【請求項１６】
請求項１記載の方法において、前記アルゴリズムは次式により必要なレーン数ＬＸを決定する、すなわち、
ＬＮ＝Ｒ１（ｎＬＧ／１００）Ｔ２
ここで、
ＬＮ＝必要な一般レーンの数、
Ｒ１＝来訪者入来率
ｎＬＧ＝多量来訪者の割合、及び
Ｔ２＝一般レーンのチェックアウト率
である、方法。
【請求項１７】
請求項１５記載の方法において、前記アルゴリズムは次式により必要なレーン数ＬＸを決定する、すなわち、
ＬＮ＝Ｒ１（ｎＬＧ／１００）Ｔ２
ここで、
ＬＮ＝必要な一般レーンの数、
Ｒ１＝来訪者入来率
ｎＬＧ＝多量来訪者の割合、及び
Ｔ２＝一般レーンのチェックアウト率
である、方法。
【請求項１８】
請求項１１に記載の空港施設を運営する方法において、前記データは１つ又は複数の人的移動体の移動のモニタリング、制御、及び可視化のうちの少なくとも１つの情報を更に含む方法。
【請求項１９】
請求項１１に記載の空港施設を運営する方法において、前記１つ又は複数の人的移動体のうちの１つは、第１又は第２ゾーンに対する前記１つ又は複数の人的移動体のうちの１つの場所に応じてモニタリングする方法。
【請求項２０】
請求項１１に記載の空港施設を運営する方法において、前記１つ又は複数の人的移動体のうちの１つは乗客であり、各無線通信ユニットは、前記乗客が敷居、選択的にドアを出入りする際、前記場所ノードとの通信に作用する方法。
【請求項２１】
空港施設の外部から前記空港施設へ進入するためのドア、前記空港施設及びセキュリティチェック場所内の、前記ドアと前記セキュリティチェック場所との間の第１ゾーン、前記セキュリティチェック場所の外側の第２のゾーン、及び場所に基づくサービスを前記空港施設の運営担当者に提供するシステムを備える空港施設であって、該空港施設は、
無線信号のトランシーバを有し、受信した信号を中心ハブに送信して、前記受信した信号を処理できるようにした、前記空港施設における場所ノードであって、
前記場所ノードは前記空港施設における特定の位置に配置され、前記場所ノードは、前記空港施設内の人的移動体と無線通信して前記空港施設内の前記人的移動体の場所及び移動を確定でき、前記人的移動体は、前記場所ノードに対して信号を無線で送受信する無線通信ユニットを有し、前記無線通信ユニットの各々は前記人的移動体のうちの１つに一意的であり、
前記場所ノードは検出デバイスを有し、前記検出デバイスは、無線トランスミッタ／レシーバを含み、前記人的移動体及び前記人的移動体の無線通信ユニットの前記第１ゾーン及び前記第２ゾーンに対する進入、滞在及び退出のイベントを検出可能であり、
前記無線通信ユニットは、Bluetooth（登録商標）及びＷＩ−ＦＩ無線又はＮＦＣシステムを装備したモバイルフォンであり、
前記場所ノードの前記トランシーバは、前記セキュリティチェック場所に対する前記空港施設内での前記人的移動体の移動に関するデータを、Bluetooth（登録商標）及びＷＩ−ＦＩ無線又はＮＦＣシステムによって送信し、前記データは、前記セキュリティチェック場所への進入、前記セキュリティチェック場所からの退出、及び前記セキュリティチェック場所の近傍で費やした時間量を含み、前記データは、リアルタイム、又は保存及び解析用に運営担当者が使用できるよう後の時点のうちの少なくとも一方で送信する、場所ノードと、
前記データを処理する、コンピュータプロセッサによって実行可能なアルゴリズムと、画面であって、前記画面上の画素分解画像に前記第１ゾーン及び前記第２ゾーンをマッ
プとして表示し、前記第１ゾーンから前記セキュリティチェック場所を通って前記第２ゾーンに進入する人的移動体の移動情報を、前記画素分解画像上にマッピングして表示し、前記画素分解画像は、前記空港施設における運営及び要員配置を計画するためのツールである画面と、
を備える空港施設。 
【請求項２２】
請求項２１に記載の空港施設において、前記空港施設内に付加的な場所ノードを更に有し、前記付加的な場所ノードは前記無線信号のトランシーバを有し、受信した前記無線信号を前記中心ハブに送信して、前記受信した信号を処理するように構成され、前記付加的な場所ノードは前記空港施設内の互いに離れた位置に配置される空港施設。
【請求項２３】
請求項２２に記載の空港施設において、前記空港施設は付加的なセキュリティチェック場所を有し、前記空港施設を通過する前記人的移動体は、前記セキュリティチェック場所及び前記付加的なセキュリティチェック場所のうちの少なくとも１つを通過する必要があるものとし、前記場所ノード及び前記付加的な場所ノードのうちの少なくとも１つは前記セキュリティチェック場所及び前記付加的なセキュリティチェック場所のうちの少なくとも１つに関連する物理的場所に配置され、前記データは以下、すなわち、前記セキュリティチェック場所又は前記付加的なセキュリティチェック場所を通過する前記人的移動体の数、前記人的移動体が前記セキュリティチェック場所又は前記付加的なセキュリティチェック場所を通過する速度、及び前記セキュリティチェック場所又は前記付加的なセキュリティチェック場所の近傍の前記人的移動体の数のうちの少なくとも１つを更に含む空港施設。
【請求項２４】
請求項１１に記載の空港施設を運営する方法において、前記データは、前記１つ又は複数の人的移動体の移動を可視化するための情報を更に含む方法。
【請求項２５】
請求項１１に記載の方法において、前記場所ノードは、前記無線通信ユニットを介して、前記１つ又は複数の人的移動体と直接通信する方法。
【請求項２６】
請求項２１に記載の空港施設において、前記データは、前記人的移動体の移動を可視化するための情報を更に有する空港施設。
【請求項２７】
請求項２１に記載の空港施設において、前記場所ノードは、前記無線通信ユニットを介して、前記人的移動体と直接通信する空港施設。
【請求項２８】
空港施設を運営する方法であって、
前記空港施設の外部から前記空港施設へ進入するためのドアを設けるステップと、
前記空港施設内のセキュリティチェック場所、前記空港施設内の前記ドアと前記セキュリティチェック場所との間の第１ゾーン、及び前記セキュリティチェック場所の外側の第２ゾーンを設けるステップと、前記第１ゾーンから前記セキュリティチェック場所を通って前記第２ゾーンに進入する人的移動体の移動の情報を提供するステップと、
無線信号を処理するために、運営担当者を含む中心ハブを設けるステップと、
前記空港施設内に場所ノードを提供するステップであって、前記場所ノードは無線信号のトランシーバを有し、受信した信号を中心ハブに送信して、前記受信した信号を処理するように構成されたステップと、
前記場所ノードを前記空港施設内の前記セキュリティチェック場所に配置し、前記場所ノードは前記空港施設内の前記場所ノードに前記無線信号を送受信可能な無線通信ユニットを有する１つ又は複数の人的移動体と無線通信して、前記空港施設内の人的移動体の場所及び移動を確定するステップであって、前記無線通信ユニットの各々は、前記１つ又は複数の人的移動体のうちの１つに一意的であり、前記１つ又は複数の人的移動体のうちの１つが前記第１ゾーン又は前記第２ゾーンに進入する際、前記場所ノードと通信するように構成されたステップと、
前記１つ又は複数の人的移動体に一意的な前記無線通信ユニットの各々との通信により、前記１つ又は複数の人的移動体のうちの１つの前記第１ゾーンへの進入、滞在及び退出のイベントを検出可能な無線トランスミッタ／レシーバを備える検出デバイスを前記場所ノードに設けるステップであって、前記無線通信ユニットの各々は、Bluetooth（登録商標）及びＷＩ−ＦＩ無線又はＮＦＣシステムを装備したモバイルフォンであり、
前記場所ノードは、前記セキュリティチェック場所に対する前記空港施設内の前記第１ゾーン及び前記第２ゾーンにおける前記１つ又は複数の人的移動体のうちの１つの移動に関して前記無線通信ユニットの各々からデータを受信し、前記データは、前記空港施設内の前記セキュリティチェック場所への進入、前記セキュリティチェック場所からの退出、前記セキュリティチェック場所の近傍で費やした時間量、及び前記１つ又は複数の人的移動体の移動を可視化するための情報を含むステップと、
前記データを前記中心ハブに、リアルタイム、又は保存及び解析用に運営担当者が使用できるよう後の時点のうちの少なくとも一方で送信するステップと、
前記１つ又は複数の人的移動体の前記空港施設内のラインへの進入率、及び前記空港施設内の前記ラインからの退出率に基づいて、パラメータを確定するステップと、
前記第１ゾーン及び前記第２ゾーンを、画面上に表示された複数の画素を有する画素分解画像上にマッピングするステップと、
前記画面上の前記複数の画素に前記画素分解画像内の前記第１ゾーン及び前記第２ゾーンの包囲された領域を形成させるステップとを含み、
前記１つ又は複数の人的移動体が前記第１ゾーン又は前記第２ゾーンに進入する際、前記無線通信ユニットの各々は前記場所ノードと通信し、前記場所ノードは前記無線通信ユニットを介して前記１つ又は複数の人的移動体と直接通信し、
前記場所ノードは、前記第１ゾーン及び前記第２ゾーン内の前記セキュリティチェック場所の近傍の前記１つ又は複数の人的移動体の数を含む情報を、前記画素分解画像にマップとして提供し、前記場所ノードは、前記第１ゾーンから前記セキュリティチェック場所を通って前記第２ゾーンに進入する１つ又は複数の人的移動体の移動の情報を、前記画素分解画像上の前記第１ゾーン及び前記第２ゾーンにマップとして更に提供し、前記画素分解画像は、前記空港施設における運営及び要員配置を計画するためのツールである方法。
【請求項２９】
空港施設の外部から前記空港施設へ進入するためのドア、前記空港施設及びセキュリティチェック場所内の、前記ドアと前記セキュリティチェック場所との間の第１ゾーン、前記セキュリティチェック場所の外側の第２のゾーン、及び場所に基づくサービスを前記空港施設の運営担当者に提供するシステムを備える空港施設であって、前記空港施設は、
無線信号のトランシーバを有し、受信した信号を中心ハブに送信して、前記受信した信号を処理できるようにした、前記空港施設における場所ノードであって、
前記場所ノードは前記空港施設における特定の位置に配置し、前記場所ノードは、前記空港施設内の人的移動体と無線通信して前記空港施設内の前記人的移動体の場所及び移動を確定でき、前記人的移動体は、前記場所ノードに対して信号を無線で送受信する無線通信ユニットを有し、前記無線通信ユニットの各々は前記人的移動体のうちの１つに一意的であり、前記場所ノードは前記無線通信ユニットとを介して前記人的移動体と直接通信し、
前記場所ノードは検出デバイスを有し、前記検出デバイスは、無線トランスミッタ／レシーバを含み、前記人的移動体及び前記人的移動体の無線通信ユニットの前記第１ゾーン及び前記第２ゾーンに対する進入、滞在及び退出のイベントを検出可能であり、
前記無線通信ユニットは、Bluetooth（登録商標）及びＷＩ−ＦＩ無線又はＮＦＣシステムを装備したモバイルフォンであり、
前記場所ノードの前記トランシーバは、前記セキュリティチェック場所に対する前記空港施設内での前記人的移動体の移動に関するデータを、Bluetooth（登録商標）及びＷＩ−ＦＩ無線又はＮＦＣシステムによって送信し、前記データは、前記セキュリティチェック場所への進入、前記セキュリティチェック場所からの退出、前記セキュリティチェック場所の近傍で費やした時間量、及び前記人的移動体の移動を可視化するための情報を含み、前記データは、リアルタイム、又は保存及び解析用に運営担当者が使用できるよう後の時点のうちの少なくとも一方で送信する、場所ノードと、
前記データを処理する、コンピュータプロセッサによって実行可能なアルゴリズムと、
画面であって、前記画面上の画素分解画像に前記第１ゾーン及び前記第２ゾーンをマッ
プとして表示し、前記第１ゾーンから前記セキュリティチェック場所を通って前記第２ゾーンに進入する人的移動体の移動情報を、前記画素分解画像上にマッピングして表示し、前記画素分解画像は、前記空港施設における運営及び要員配置を計画するためのツールである画面と、
を備える空港施設。
【請求項３０】
空港施設であって、
前記空港施設の外部から前記空港施設へ進入するためのドアと、
前記空港施設内の異なるゾーンと、
場所に基づくサービスを前記空港施設の運営担当者に提供するシステムとを備え、前記システムは、
前記空港施設内に分散された複数の場所ノードを有し、前記複数の場所ノードの各々は、受信した無線信号を中心ハブに送信して前記無線信号の処理を行うトランシーバを有し、
前記複数の場所ノードは、前記空港施設内の人的移動体と無線通信し、前記人的移動体に一意的な無線通信ユニットを介して、前記空港施設において前記人的移動体の場所及び移動を確定することが可能であり、前記無線通信ユニットは前記場所ノードと無線信号を送受信し、
前記複数の場所ノードの各々は、無線トランスミッタ／レシーバを有する、前記人的移動体の異なるゾーンからの進入、滞在及び退出を検出可能な検出デバイスを有し、
前記無線通信ユニットは、Bluetooth（登録商標）及びＷＩ−ＦＩ無線又はＮＦＣシステムを装備したモバイルフォンであり、前記場所ノードとモバイルフォンとの間の通信は、前記場所ノードと前記人的移動体との間の直接通信であり、
前記場所ノードは、Bluetooth（登録商標）及びＷＩ−ＦＩ無線又はＮＦＣシステムから、前記空港施設の異なるゾーン内の前記人的移動体の移動に関するデータを受信するように構成され、前記データは、リアルタイム、又は保存及び解析用に運営担当者が使用できるよう後の時点のうちの少なくとも一方で送信され、前記空港施設内の前記人的移動体の移動を可視化するための情報を含み、
前記空港施設は更に、
画面であって、前記画面上の画素分解画像に異なるゾーンをマップとして表示する画面を備え、前記画面は、前記画素分解画像上に前記異なるゾーン内の前記人的移動体の移動の情報をマップとして表示し、前記画素分解画像は、前記空港施設における運営及び要員配置を計画するためのツールである空港施設。
【請求項３１】
請求項１１に記載の空港施設において、前記無線通信ユニットはＮＦＣシステムを有し、前記場所ノードは、前記空港施設の前記異なるゾーンにおける前記人的移動体の移動に関するＮＦＣシステムデータを受信するように構成された空港施設。